【手続補正書】
【提出日】平成18年11月14日(2006.11.14)
【手続補正１】
【補正対象書類名】特許請求の範囲
【補正対象項目名】全文
【補正方法】変更
【補正の内容】
【特許請求の範囲】
【請求項１】
繊維柔軟剤成分もしくは繊維柔軟剤成分の混合物、および
ａ）水溶性のエチレン性不飽和モノマーもしくは少なくとも一種の陽イオン性モノマーおよび／もしくは少なくとも一種の非イオン性モノマーを含むモノマーの配合物、
ｂ）成分ａ）の質量に対して５ｐｐｍより少ない量の少なくとも一種の架橋剤および
ｃ）所望により少なくとも一種の連鎖移動剤、
の重合から形成される少なくとも一つのポリマーであるが、ただし、
ｉ）前記ポリマーが陽イオン性ホモポリマーである場合、前記架橋剤の量は常に０ｐｐｍより多いところのポリマーを含む繊維柔軟剤組成物。
【請求項２】
陽イオン性モノマーがジアリルジアルキルアンモニウムハライドもしくは次式（Ｉ）：
【化１】
2006508274.tif 000001
（式中、
Ｒ1は水素原子もしくはメチル基を示し、
Ｒ2は水素原子もしくは炭素原子１ないし４のアルキル基を示し、
Ｒ3は炭素原子数１ないし４のアルキレン基を示し、
Ｒ4、Ｒ5およびＲ6はそれぞれ独立して水素原子もしくは炭素原子数１ないし４のアルキ
ル基を示し、
Ｘは−Ｏ―もしくは―ＮＨ−を示し、そして
ＹはＣｌ；Ｂｒ；Ｉ；硫化水素もしくはメト硫酸を示す。）
に従った化合物である請求項１に記載の繊維柔軟剤組成物。
【請求項３】
非イオン性モノマーはＮ−ビニルピロリドンもしくは
次式（ＩＩ）
【化２】
2006508274.tif 000002
（式中、
Ｒ7は水素原子もしくはメチル基を示し、
Ｒ8は水素原子もしくは炭素原子数１ないし４のアルキル基を示し、そして
Ｒ9およびＲ10はそれぞれ独立して水素原子もしくは炭素原子数１ないし４のアルキル基
を示す。）で表される化合物である請求項１に記載の繊維柔軟剤組成物。
【請求項４】
Ａ）前記組成物の総質量に基づいて０．５ないし５０質量％、好ましくは２ないし５０質量％の繊維柔軟剤；
Ｂ）前記組成物の総質量に基づいて０．００１ないし１５質量％、好ましくは０．０１ないし１０質量％の
ａ）次式（Ｉａ）：
【化３】
2006508274.tif 000003
（式中、
Ｒ1は水素原子もしくはメチル基を示し、
Ｒ2は水素原子もしくはメチル基を示し、
Ｒ3は炭素原子数１ないし２のアルキレン基を示し、そして
ＹはＣｌ；ＢｒもしくはＩを示す）で表される少なくとも一種のモノマー、および
ｂ）ジビニルベンゼン；テトラアリルアンモニウムクロリド；アリルアクリレートおよびメタクリレート；グリコールおよびポリグリコールのジアクリレートおよびジメタクリレート；ブタジエン；１，７−オクタジエン；アリル−アクリルアミドおよびアリル−メタアクリルアミド；ビスアクリルアミド酢酸；Ｎ，Ｎ'−メチレン−ビスアクリルアミドお
よびポリオールポリアリルエーテルから選択される少なくとも一種の架橋剤、０ｐｐｍより多くそして５ｐｐｍより少ない量（成分ａ）に基づいて）、および
ｃ）所望により、メルカプタン；リンゴ酸、乳酸、ギ酸、イソプロパノールおよび次亜リン酸塩から選択された少なくとも一種の連鎖移動剤０ないし１０００ｐｐｍ、好ましくは０ないし５００ｐｐｍ、より好ましくは０ないし３００ｐｐｍの量（成分ａ）に基づいて）
の重合から形成される少なくとも一種のホモポリマーおよび／もしくはコポリマーであるが、
ただし、前記ポリマーがホモポリマーである場合、前記架橋剤の量は常に０ｐｐｍより多いところのポリマー；
Ｃ）前記組成物の総質量に基づいて０ないし２０質量％の慣用の添加物；および
Ｄ）前記組成物の総質量に基づいて０ないし５質量％、好ましくは０ないし３質量％、より好ましくは０ないし２質量％の香料；
Ｅ）前記組成物の総質量に基づいて０ないし０．５質量％、好ましくは０．００５ないし０．２５質量％、より好ましくは０．０１ないし０．１質量％の、金属イオンを封鎖する能力があり、かつ
ｉ）アミノカルボン酸、有機アミノホスホン酸成分、およびこの混合物から成る群から選択されるキレート化成分、
ｉｉ）二個以下の炭素原子によってお互いから分離した少なくとも二個のカルボキシル基を含む、キレート化成分としてｉ）において定義されたもの以外のポリカルボン酸構成成分、および、
ｉｉｉ）これらの混合物、
から成る群から選択された成分；および、
Ｆ）１００％になるまでの水
を含む請求項１ないし３の何れか一項に記載の液体繊維柔軟剤組成物。
【請求項５】
Ａ）前記組成物の総質量に基づいて０．５ないし５０質量％、好ましくは２ないし５０質量％の繊維柔軟剤；
Ｂ）前記組成物の総質量に基づいて０．００１ないし１５質量％、より好ましくは０．０１ないし１０質量％の
ａ）次式（ＩＩａ）：
【化４】
2006508274.tif 000004
（式中、
Ｒ7は水素原子もしくはメチル基を示し、
Ｒ8は水素原子；メチル基もしくはエチル基を示す。）で表される少なくとも一種のモノ
マー、
ｂ）所望により、ジビニルベンゼン；テトラアリルアンモニウムクロリド；アリルアクリレートおよびメタクリレート；グリコールおよびポリグリコールのジアクリレートおよびジメタクリレート；ブタジエン；１，７−オクタジエン；アリル−アクリルアミドおよびアリル−メタアクリルアミド；ビスアクリルアミド酢酸；Ｎ，Ｎ'−メチレン−ビスアク
リルアミドおよびポリオールポリアリルエーテルから選択される少なくとも一つの架橋剤、５ｐｐｍ（成分ａ）に基づいて）より少ない量、および
ｃ）所望により、メルカプタン；リンゴ酸、乳酸、ギ酸、イソプロパノールおよび次亜リン酸塩から選択される少なくとも一つの連鎖移動剤、０ないし１０００ｐｐｍ、好ましくは０ないし５００ｐｐｍ、より好ましくは０ないし３００ｐｐｍの量（成分ａ）に基づいて）
の重合から形成された少なくとも一種のホモおよび／もしくはコポリマー；
Ｃ）前記組成物の総質量に基づいて０ないし２０質量％の慣用の添加物；
Ｄ）前記組成物の総質量に基づいて０ないし５質量％、好ましくは０ないし３質量％、より好ましくは０ないし２質量％の香料；
Ｅ）前記組成物の総質量に基づいて０ないし０．５質量％、好ましくは０．００５ないし０．２５質量％、より好ましくは０．０１ないし０．１質量％の、金属イオンを封鎖する能力があり、かつ
ｉ）アミノカルボン酸、有機アミノホスホン酸成分、およびその混合物から成る群から選択されるキレート化成分、
ｉｉ）二個以下の炭素原子によってお互いから分離した少なくとも二個のカルボキシル基を含む、キレート化成分としてｉ）において定義された成分以外のポリカルボン酸構成成分、および、
ｉｉｉ）これらの混合物；
から成る群から選択される成分；および
Ｆ）１００％になるまでの水、
を含む請求項１ないし３の何れか一項に記載の液体繊維柔軟剤組成物。
【請求項６】
Ａ）前記組成物の総質量に基づいて０．５ないし５０質量％、好ましくは２ないし５０質量％の繊維柔軟剤；
Ｂ）前記組成物の総質量に基づいて０．００１ないし１５質量％、より好ましくは０．０１ないし１０質量％の少なくとも一種のコポリマーであって、
ａ）前記コポリマーの総質量に基づいて５ないし９５質量％、好ましくは３０ないし９５質量％の次式（Ｉａ）：
【化５】
2006508274.tif 000005
（式中、
Ｒ1は水素原子もしくはメチル基を示し、
Ｒ2は水素原子もしくはメチル基を示し、
Ｒ3は炭素原子数１ないし２のアルキレン基を示しそして
ＹはＣｌ；ＢｒもしくはＩを示す。）で表される少なくとも一種のモノマー、および
ｂ）前記コポリマーの総質量に基づいて５ないし９５質量％、好ましくは５ないし７０質量％の次式（ＩＩａ）：
【化６】
2006508274.tif 000006
（式中、
Ｒ7は水素原子もしくはメチル基を示し、そして
Ｒ8は水素原子；メチル基もしくはエチル基を示す。）で表される少なくとも一つのモノ
マー、
ｃ）所望により、ジビニルベンゼン；テトラアリルアンモニウムクロリド；アリルアクリレートおよびメタクリレート；グリコールおよびポリグリコールのジアクリレートおよびジメタクリレート；ブタジエン；１，７−オクタジエン；アリル−アクリルアミドおよびアリル−メタアクリルアミド；ビスアクリルアミド酢酸；Ｎ，Ｎ'−メチレン−ビスアク
リルアミドおよびポリオールポリアリルエーテルから選択される架橋剤もしくは架橋剤の混合物、５ｐｐｍ（成分ａ）に基づいて）より少ない量、および
ｄ）所望により、メルカプタン；リンゴ酸、乳酸、ギ酸、イソプロパノールおよび次亜リン酸塩から選択された少なくとも一つの連鎖移動剤０ないし１０００ｐｐｍ、好ましくは０ないし５００ｐｐｍ、より好ましくは０ないし３００ｐｐｍの量（成分ａ）に基づいて）
の重合から形成されるコポリマー；
Ｃ）前記組成物の総質量に基づいて０ないし２０質量％の慣用の添加物；および
Ｄ）前記組成物の総質量に基づいて０ないし５質量％、好ましくは０ないし３質量％、より好ましくは０ないし２質量％の香料；
Ｅ）前記組成物の総質量に基づいて０ないし０．５質量％、好ましくは０．００５ないし０．２５質量％、より好ましくは０．０１ないし０．１質量％の、金属イオンを封鎖する能力があり、かつ
ｉ）アミノカルボン酸、有機アミノホスホン酸成分、およびその混合物から成る群から選択されるキレート化成分、
ｉｉ）二個以下の炭素原子によってお互いから分離した少なくとも二個のカルボキシル基を含む、キレート化成分としてｉ）において定義された成分以外のポリカルボン酸構成成
分、および、
ｉｉｉ）これらの混合物
から成る群から選択される成分；そして
Ｆ）１００％になるまでの水、
含む請求項１ないし３の何れか一項に記載の液体繊維柔軟剤組成物。